(57)【要約】【課題】失禁による尿洩れを吸収でき、通常の排尿時においては下着から取り外すことなく排尿できるような男性用失禁パッドを提供すること。【解決手段】本発明の男性用失禁パッドは、表面シート、吸収体及び外側カバーから構成されており、パッドの前側端部のほぼ中央から股領域にかけてスリットが形成されている。このスリットにより、パッドの前側には２つのフラップが形成されることになる。使用時には、２つのフラップを上下に重ね合わせる。失禁時にはこれにより尿が吸収され、通常の排尿時には、フラップの重ね合わせ部分と下着の前部開口部とを一致させるようにすることにより、尿の排出経路が形成されることになる。【選択図】          図１
2004147818.tif 000002
【特許請求の範囲】
【請求項１】
身体側表面シートと、外側カバーとこれらの間に配置される吸収体とからなり、着用者の身体前部に対応する側の前側端部と身体股部に対応する後側端部及びこれらを連結する長手方向に延びる両側部とを有する男性用失禁パッドであって、
前記身体側表面シートと前記外側カバーおよび前記吸収体とからなる第１及び第２のフラップを前記パッドの前側領域に形成するように、スリットが前記前側端部から始まり前記後側端部方向へ向けて所定の位置で終了するように形成されており、
使用時において、前記第１及び第２のフラップを上下に重ね合わせることにより形成される重ね合わせ部分を前記パッドが取りつけられるべき下着の前部開口部の位置に一致するようにして失禁時の尿を吸収し、通常の排尿時には前記第１及び第２のフラップの重ね合わされた部分と前記下着前部開口部とを介して尿が排出されるようになった男性用失禁パッド。
【請求項２】
身体側表面シートと、外側カバーとこれらの間に配置される吸収体とからなり、着用者の身体前部に対応する側の前側端部と身体後部に対応する側の後側端部及びこれらを連結する長手方向に延びる両側部とを有する男性用失禁パッドであって、
前記身体側表面シートと前記外側カバーおよび前記吸収体とからなる第１及び第２のフラップを前記パッドの前側領域に形成するように、スリットが前記前側端部から始まり前記後側端部方向へ向けて所定の位置で終了するように形成されており、
使用時において、前記第１及び第２のフラップを上下に重ね合わせることにより形成される重ね合わせ部分を前記パッドが取りつけられるべき下着の前部開口部の位置に一致するようにして失禁時の尿を吸収し、通常の排尿時には前記第１及び第２のフラップの重ね合わされた部分と前記下着前部開口部とを介して尿が排出されるようになった男性用失禁パッド。
【請求項３】
前記外側カバーの外面には粘着材が固着されており、前記パッドは、前記パッドが取りつけられるべき下着に前記固着材により固定されるようになっていることを特徴とする請求項１または２に記載の男性用失禁パッド。
【請求項４】
前記表面シートと前記吸収体との間にはトランスファシートが配置されていることを特徴とする請求項１から３のいずれかに記載の男性用失禁パッド。
【請求項５】
前記スリットは、前記パッドの前側端部のほぼ中心から始まり、前記パッドの着用者の股部に対応する領域に至る地点までの間の位置で終了することを特徴とする請求項１から４のいずれかに記載の男性用失禁パッド。
【請求項６】
前記外側カバーの外面にはバリヤシートが、前記パッドの両側端部を越えて延びるように固着されており、該バリヤシートの長手方向両側部の縁には弾性体が設けられており、使用時において、該バリヤシートは前記パッドの両側部において立体的ギャザーを形成するようになっていることを特徴とする請求項１から５のいずれかに記載の男性用失禁パッド。
【請求項７】
前記パッドの前記一対のフラップの少なくとも一方の上端部側には再固着可能な止着材が取りつけられており、該止着材により前記一対のフラップを重ね合わせて固定できるようになっていることを特徴とする請求項１から６のいずれかに記載の男性用失禁パッド。
【請求項８】
前記第１および第２のフラップを上下に重ね合わせた状態のとき、幅を、前記パッドを上方から見た投影幅としたときの前記フラップ部分の最大幅は、前記パッドの最も広い地点における幅の１／３以上であることを特徴とする請求項１から７のいずれかに記載の男性用失禁パッド。
【請求項９】
前記スリットの前記パッドにおける終了最後部地点と、前記第１のフラップが前記第２のフラップの上に重なるときの前記第１のフラップのスリット側の先端部が前記第２のフラップと重なる地点とを結ぶ線と、前記スリットの最後部地点と、前記第２のフラップが前記第１のフラップの下側に重なるときの前記第２のフラップのスリット側の先端部が前記第１のフラップと重なる地点とを結ぶ線と、により形成される角度は３０°から１２０°であることを特徴とする請求項１から８のいずれかに記載の男性用失禁パッド。
【請求項１０】
前記パッドが展開された状態のときの形状は、砂時計形状、ほぼ矩形形状、またはＴ字形状であることを特徴とする請求項１から９のいずれかに記載の男性用失禁パッド。
【請求項１１】
前記パッドが使用されるときの前記パッドの形状は、立体的な、舟形、Ｊ字形状、またはカップ形状となることを特徴とする請求項１から１０のいずれかに記載の男性用失禁パッド。
【発明の詳細な説明】
【０００１】
【発明の属する技術分野】
本発明は使い捨て吸収性物品に関する。より詳細には、本発明は、軽度の失禁による尿を吸収でき、下着の開口部を塞ぐことないような男性用失禁パッドに関する。
【０００２】
【従来の技術】
乳幼児用紙おむつ、トイレットトレーニング用パンツ、女性生理用ナプキン、成人用紙おむつといった様々な使い捨て吸収性物品が広く使用されるようになるに従い、用途に応じて様々な改善が施されてきている。なかでも、高齢化社会に伴い、成人用紙おむつの需要が高まってきている。また、最近では、このような成人用紙おむつを必要としない程度の失禁に対処できるような失禁パッドも開発されてきている。女性が使用する場合には、使用態様から成人用紙おむつや、生理用ナプキンなどを使用することによりこのような用途に対処できる場合もあるが、男性用として対応できるものがないために、特に男性用の失禁パッドが注目されてきている。このような男性用失禁パッドは、寝たきりの老人などの介護に使用されることを目的にするものもあるが、通常の生活は可能であるような、例えば、前立腺肥大などによる病気のために極く軽度の失禁の際に尿を吸収できることを目的にするものも必要とされている。特に、普通の社会生活を送れるような男性が病気などのために、例えば頻繁にトイレに行くことが不可能なようなとき、また、軽度の尿洩れ症状はあるものの、通常の紙おむつを使用することに抵抗感を有するような人にとって、外観からみても他人には気がつかれることなくまた失禁以外の通常の排尿時、つまりトイレで普通に排尿を行う際にも失禁用パッドをとりはずすことなく、または下着をおろすことなく、排尿できるような失禁パッドの要望が高まってきている。
【０００３】
従来の男性用失禁パッドには、パンツ形式になったものがある（例えば、特許文献１参照。）。特許文献１に開示された失禁防護体は、男性の陰茎および陰嚢を容器状にした防護体によって包み込み、防護体の後部側に切り欠き部分を設けることによってさらに陰嚢をしっかり包み込むようになっている。この失禁防護体では成人用紙おむつを男性用にしただけにすぎず、外観から見ると不自然であり、さらには着用者の抵抗感を起こさせることになる。
【０００４】
さらに、パッドに男性器を貫通させるためのスリットまたは孔を形成するようになったものもある（例えば、特許文献２参照。）。しかし、このパッドでは、微量の失禁による尿は吸収されるが、トイレで通常の排尿を行うときには、吸収体があるためにうまく尿が排出されず、結局、パッドを取り外して排尿を行わなければならない。またパッドの形状は立体的にはならず、身体へのフィット性も好ましくないと考えられる。
【０００５】
また、パッドを取り外すことなく着用者が便器に排尿できるようになった男性用尿取りパッドがある（例えば、特許文献３参照。）。しかし、特許文献３に記載されたパッドの構成はわりに複雑であり、さらに、ペニスのみを収納するようになっているため収納性が確実ではないと考えられ、従って、漏れなどが発生する可能性も高いと考えられる。
【０００６】
【特許文献１】
特公昭６１−２１６６５号公報
【特許文献２】
特開平１１−２２６０４４号公報
【特許文献３】
特開２００２−２８２２９２号公報
【０００７】
【発明が解決しようとする課題】
従って、本発明は、先行技術の欠点を回避し、上述したような要望の高い男性用失禁パッドを提供するためになされたものである。
【０００８】
本発明の目的は、極く軽度の失禁、すなわち微量の尿洩れをただちに吸収できるとともに、通常の排尿時には下着をおろしたり、パッドをとりはずすことなく排尿できるようになった、下着の前部開口部を塞ぐことがない男性用失禁パッドを提供することである。
【０００９】
本発明の別の目的は、失禁用パッドの下着への再装着時に、パッドの端部が折れ曲がったり、反ったりすることなく、最適な状態で下着に取りつけることのできる男性用失禁パッドを提供することである。
【００１０】
本発明のさらなる目的は、着用者が装着中に、ずれたりすることなく、身体に最適な状態で密着できるようになって、外観上不自然でないような男性用失禁パッドを提供することである。
【００１１】
【課題を解決するための手段】
本発明の男性用失禁パッドは、身体側表面シートと、外側カバーとこれらの間に配置される吸収体とからなり、着用者の身体前部に対応する前側端部と身体股部領域に対応する後側端部及びこれらを連結する長手方向に延びる両側部とを有する。表面シートと外側カバーおよび吸収体とにより形成されたパッドの前側端部から２分割されて、着用者の前側領域において第１及び第２のフラップを形成するように、スリットが前側端部からパッドの後端部にかけて所定の位置まで形成されている。使用時において、第１及び第２のフラップを上下に重ね合わせて、パッドを下着に取りつけることにより失禁時の尿を吸収するとともに、通常の排尿時には第１及び第２のフラップの重ね合わされた状態でも、スリットがあるために下着の開口部を塞ぐことなく尿を排出できるようになっている。
【００１２】
別の態様において、本発明の男性用失禁パッドは、身体側表面シートと、外側カバーとこれらの間に配置される吸収体とからなり、着用者の身体前部に対応する前側端部と身体後部に至る領域に対応する後側端部及びこれらを連結する長手方向に延びる両側部とを有する。表面シートと外側カバーおよび吸収体とにより形成されたパッドの前側端部から２分割されて着用者の前側領域において第１及び第２のフラップを形成するように、スリットが前側端部からパッドの後端部にかけて所定の位置まで形成されている。使用時において、第１及び第２のフラップを上下に重ね合わせて、パッドを下着に取りつけることにより失禁時の尿を吸収するとともに、通常の排尿時には第１及び第２のフラップの重ね合わされた状態でも、スリットがあるために下着の開口部を塞ぐことなく尿を排出できるようになっている。
【００１３】
別の態様において、本発明の男性用失禁パッドは、外側カバーの外面に粘着材が取り付けられており、着用者の下着にこのパッドを取りつけるときには、粘着材から剥離紙を剥がして所定の位置に固定できるようになっている。
【００１４】
さらに別の態様において、本発明の男性失禁パッドは、表面シートと吸収体の間にトランスファシートを有するようになっていることが好ましい。このトランスファシートにより、吸収体への液体の分散および移動を容易にし、いったん、吸収体に吸収された液体が表面シートへ戻ることがないようになる。
【００１５】
本発明の男性失禁用パッドにおいて、外側カバーの外面にはバリヤシートが、パッドの両側端部を越えて延びるように固着されており、該バリヤシートの長手方向両側部の縁には弾性体が設けられている。使用時において、該バリヤシートは弾性体によりパッドの両側部において立体的ギャザーを形成するようになっている。
【００１６】
本発明において、パッドのバリヤシートは不織布から形成されていることが好ましい。
【００１７】
さらに本発明の失禁用パッドにおいて、パッドの一対になった左右フラップの少なくとも一方には止着材が取りつけられており、使用時には、該止着材を相互に、またはフラップの外側カバーに直接結合でき、このようにフラップを結合することによって、着用時のパッドの形状は立体的になる。
【００１８】
本発明において、止着材は、再結合可能な粘着テープまたはフック及びループ型のメカニカルテープであればよい。
【００１９】
さらに、本発明において、幅を、パッドを上方から見た投影幅すなわち湾曲した弦の長さであるとすると、一対のフラップを上下に重ね合わせたときのフラップ部分の最大幅は、該パッドの最も広い地点における幅の１／３以上であること好ましい。
【００２０】
また、本発明のパッドにおいて、スリットのパッド上の終了最後部地点と、第１のフラップが第２のフラップの上に重なるときの第１のフラップのスリット側の先端部が第２のフラップと重なる地点とを結ぶ線と、スリットの最後部地点と、第２のフラップが第１のフラップの下側に重なるときの第２のフラップのスリット側の先端部が第１のフラップと重なる地点とを結ぶ線とにより形成される角度は３０°から１２０°であることが好ましい。
【００２１】
パッドが使用されるときのパッドの形状は、立体的な、舟形、Ｊ字形状、またはカップ形状のような立体的構造となるので、本発明の着用者の身体に密着し、フィット感に優れる。さらに、本発明のバリヤシートにより立体ギャザーが形成されることになり、このような立体的形状を保持しやすく、さらに、パッドの両側部からの洩れを防ぐことができる。
【００２２】
さらに本発明のパッドの展開状態の外形は、砂時計形、矩形形状またはＴ字形状であればよい。
【００２３】
【発明の実施の形態】
本発明の好ましい実施の形態について図面を参照しながら以下に説明する。以下の説明において、図面を通し同一の構成部には同一の符号を使用する。
【００２４】
図１は、本発明の男性用失禁パッド１０の外観をあらわす概略図であり、図２は、図１に図示した本発明の第１実施例のパッド１０のＸ−Ｘ線断面図である。パッド１０は、着用者の身体側に面する側の表面材となる表面シート１２と、下着側に面する防水材からなる外側カバー１４と、これらの間に挟まれた状態で配置される吸収体１６とからなる。パッド１０は、着用者の前部に対応する前側領域と、股領域と、後部に対応する後側領域とを有する。
【００２５】
図１（ａ）に図示するパッド１０の外形は砂時計形であるが、図１（ｂ）に図示するように、ほぼ矩形形状、あるいは図１（ｃ）に図示するようにＴ字形状であってもよい。
【００２６】
吸収体１６の形状は、図４（ａ）に図示するようにパッドの前側端部２２側に対応する前端部が、パッドの後側端部２４に対応する後端部よりもわずかに寸法が大きくなったＩ字状、または犬の骨型形状であればよく、着用者の股部分に対応する部分が最も幅が狭くなっている。図４（ａ）において、吸収体１６は、パッド１０の股領域３２に対応する部分から吸収体１６の前端部および後端部に向かって徐々になめらかに連結されるように形成されている。しかし、吸収体１６の形状は、上述した形状の他に、例えば図４（ｂ）に図示する矩形、図４（ｃ）に図示するＴ字形などのさまざまな形状を有することもでできるが、吸収体１６の着用者の股に対応する股領域が、通常の成人男性着用者の脚の間、すなわち股部分に最適にフィットし、排出物を適切に吸収できるような寸法でなければならない。この寸法は、例えば着用者の大きさによりいくつかの段階を有するように変更することも可能である。この吸収体１６には該吸収体の前端部の幅方向のほぼ中心から吸収体の股領域部分に向かってほぼ股領域が始まる地点にまでほぼ直線状にスリット２６が形成されている。しかし、このスリット２６の最終点は吸収体１６のほぼ股領域が始まる点を目標としているが多少ずれても問題はない。スリット２６は、このスリット形成領域がほぼ着用者の身体の前部に対応できるような長さを有するようになっていればよい。また、スリット２６は、本実施例においてほぼ直線状となっているが、最終的に形成される後述のフラップの形状によっては曲線またはこれらの組合せた形状から形成されてもよい。
【００２７】
パッド１０の表面シート１２の形状は吸収体１６の形状とほぼ同一であるが、表面シート１２の寸法は、吸収体１６を取り囲むような大きさである。本実施例においては、表面シート１２の寸法は、表面シート１２の前端部、後端部、及び両側部において、吸収体１６よりもわずかに大きく、吸収体１６の外周縁部よりも約１ｃｍ大きいものとなっている。さらに、表面シート１２の前端部のほぼ中心から股領域３２にかけてスリット２６がほぼ直線状に形成され、表面シート１２が吸収体１６と組合されたときに、それぞれのスリットが同一の１つのスリット２６を形成できるようになっている。表面シート１２のスリット２６側の側端部におけるシートの寸法は、吸収体１６のスリット部分を外側カバー１４と組合されたときに包み込むことができる程度に、吸収体１６のスリット部分よりわずかに大きければよい。
【００２８】
パッド１０の外側カバー１４の形状および寸法は表面シート１２とほぼ同一である。外側カバー１４にも、表面シート１２と吸収体１６と同様に外側カバー１４の前端部のほぼ中心から股領域にかけてスリットがほぼ直線状に形成されており、表面シート１２、吸収体１６と組合されたときに、同一のスリット２６が形成され、吸収体１６をそのスリット側においても表面シート１２とともに包み込むようになっている。従って、最終的には、スリット部を形成しつつ、外側カバー１４と表面シート１２とが吸収体１６を包み込むようになっている。
【００２９】
本実施例において、表面シート１２と外側カバー１４は、吸収体１６を間に挟んだ状態で、表面シート１２と外側カバー１４のそれぞれの外縁を高温溶融接着剤のような接着剤を用いて一体的に組み立てられる。接着剤は、均一な連続接着剤層、噴霧された接着剤パターン、あるいはパターン化された接着剤層として塗布されていればよい。しかし、接着手段としては、超音波結合、熱結合、またはこれらを組合せて、様々な種類の好適な結合手段を用いて一体的に結合できるように組み立てられていればよい。
【００３０】
このようにして、表面シート１２、外側カバー１４及び吸収体１６とが組合されることにより、一体化したパッド１０が形成され、このパッドの前端部２２の幅方向ほぼ中心から股領域にかけてスリット２６が形成される。このようなスリット２６により、パッド１０の前側領域において２分割された第１および第２の２つのフラップ２８、３０が形成されることになる。第１および第２のフラップの中心側の縁も、上述したように表面シート１２と外側シート１４とが接着結合されて吸収体を包み込むようになっており、パッド１０の前端部から股領域３２に及んで形成された２つのフラップは別体となっている。
【００３１】
パッド１０の表面シート１２は、着用者の皮膚に面する側となるので柔らかな感触で、着用者の皮膚に刺激を与えないような材料から形成されていることが好ましい。また、着用者の尿を吸収体１６へ移すことが容易であるように、そして着用者に対し乾燥した表面を呈するように、吸収体１６よりも親水性が小さく、多孔性の液体透過性であることが好ましい。表面シート１２が疎水性材料から形成される場合には、界面活性剤で処理するなどの方法により親水性をあたえるようにしてもよい。
【００３２】
本実施例において、表面シート１２は、多孔性発泡体、網状発泡体、穿孔プラスチックフィルム、木材又は綿繊維のような天然繊維、ポリエステル又はポリプロピレン繊維のような合成繊維あるいはこれらを組合せた繊維からなるウェブ材料から形成されていればよい。また、表面シート１２は、吸収体１６に吸収され保持されている液体から皮膚を隔離するようになっていればよい。
【００３３】
パッド１２の吸収体１６は、一般的に超吸収性材料として既知である高吸収性材料の粒子と混合された、木材パルプフラフのようなセルロースフラフのウェブの親水性繊維マトリックスを含んでいればよい。木材パルプフラフの代わりに合成繊維、ポリマー繊維などを使用してもよい。超吸収性粒子は、親水性繊維と均一に混合されていてもよいし、不均一に混合されていてもよい。超吸収性粒子の混合率は吸収体の厚みにより変えてもよいし、また超吸収性粒子の混合率を吸収体の部分によって変えるように構成してもよい。超吸収性材料は別個になった粒子の形態であることが好ましいが、様々な幾何学的形状であってもよい。超吸収性材料は、吸収体１６の重量に対し約５から９０重量％の量で吸収体１６に含まれていればよい。
【００３４】
パッド１０の外側カバー１４は、吸収体１６内において保持している液体などが下着に洩れないように防水機能を有するように、液体に対し不透過である材料から形成されている。通常、このような液体不透過性の外側カバー１４は、ポリエチレンフィルムなどの薄いプラスチックフィルムや、これとは別の可撓性液体不透過性材料から製造することができる。また、このような外側カバー１４に吸収体からの蒸気を逃しつつ、液体が通過しないように微孔性の通気性材料から形成されていてもよい。
【００３５】
さらに本実施例において、この外側カバー１４の外面には、ポリオレフィン繊維のスパンボンドウェブのような不織布からなるバリヤシート１８が熱的に結合されている。このバリヤシート１８は外側カバー１４の外面の一部から結合されており、パッド１０の前側端部２２及び後側端部２４における表面シート１２と外側カバー１４との外周結合部と一致しているが、パッド１０の両側部を越えて延びるようになっている。すなわち、図１（ａ）を参照すると、バリヤシート１８は、パッド１０の前側端部２２の右端から後側端部２４の右端に向かって、前側端部２２の左端から後側端部２４の左端に向かって、ほぼ直線状に延びている。このため、パッド１０の股領域部分３２の幅が最も狭いので、この領域に対応するバリヤシート１８の幅が最も大きく延長された状態になっている。そして、このバリヤシート１８の外縁には弾性体２０が設けられている。本実施例において弾性体２０は２本設けられているが、弾性体２０の数はこれらに限定されるものではない。弾性体２０に適する材料は、エラストマー性ポリマー材料からなるストランド、又はリボン、あるいはポリウレタン、合成ゴム、天然ゴムなどがあるが、これらは当業者に公知であるので本明細書においては詳細に記載しない。このように構成されたバリヤシート１８は、後に説明するが、使用時には立体ギャザーとなり、脚部間すなわちパッドの両側部から尿などの液体の洩れを防ぐように機能することになる。
【００３６】
本発明のパッド１０の形状は、図１（ｂ）に図示するように、ほぼ矩形形状であってもよい。図１（ｂ）に図示するパッド１０の構成は、図１（ａ）に図示したように股領域部分３２が最も狭くなった砂時計形形状のパッド１０とは形状が異なること以外はほぼ同じである。図１（ｂ）のパッド１０の場合、吸収体も図４（ｂ）に図示するようにほぼ矩形形状であってもよい。しかし、この場合、バリヤシート１８の領域が、図１（ａ）のパッドの場合よりも狭くなるため、すなわち、バリヤシート１８は、パッド１０の前側端部から後側端部にかけてほぼ均一な寸法となるため、弾性体２０をバリヤシート１８の縁に設けても立体ギャザーはほとんど形成されない。このような場合であっても、吸収体の幅領域が大きいためパッドの両側部からの漏れは発生しない。
【００３７】
さらに、本発明のパッド１０の形状は、図１（ｃ）に図示するように、Ｔ字形状であってもよい。図１（ｃ）に図示するパッド１０の構成も図１（ａ）に図示したように股領域部分３２が最も狭くなった砂時計形形状のパッド１０とは形状が異なること以外はほぼ同じである。この場合、吸収体１６の形状はＴ字形状のパッド１０の外形に合わせて図４（ｃ）に図示するようにＴ字形状であってもよい。
【００３８】
上述してきた実施例において、パッド１０は、パッド１０が着用者に使用された場合、ほぼ着用者の後部領域にまで及ぶような大きさであったが、別の実施態様として、着用者のほぼ股領域に至るまでの大きさであってもよい。すなわち、このような着用者の前部から股領域に及ぶようなパッド１０を着用すると、パッド１０が着用者の前部から股部までを覆うような形態となる。本実施例のパッド１０の構成は、上述した実施例のパッド１０の構成とほぼ同じである。パッドの形状は、図１（ａ）、（ｂ）及び（ｃ）に示したように砂時計形状、矩形形状またはＴ字形状のいずれでもよいが、Ｔ字形状を採用することが好ましい。
【００３９】
さらに、パッド１０の前側端部２２の両端部、すなわちフラップ２８、３０の前側端部それぞれには、使用時にフラップ２８、３０を組合せ結合するための止着材３４、３６が形成されている。止着材３４、３６は対になっており、例えば、粘着テープファスナー、あるいはメカニカルテープ、ボタン、フック及びループ型ファスナー、スナップ、ピン、ベルトなどの従来のファスナーを用いてそれぞれフラップに結合されていればよい。これらのファスナーを用いて、一対の止着材３４、３６のいずれかが再締結可能なように、ループ型ファスナーとして機能し、他方がフック型ファスナーとして機能するようになっていればよい。
【００４０】
図８および図９は、止着材としてメカニカルテープを使用した場合の例を図示している。図８、９において、左フラップ２８と右フラップ３０の上側すなわち表面シート側が着用者の身体に面する側であり、下側すなわち止着材が取りつけられる外側カバー側が着用者の下着に面する側である。
【００４１】
図８（ａ）において、左フラップ２８と右フラップ３０のそれぞれの所定の位置に止着材３４、３６が固着されている。止着材３４、３６はメカニカルテープとしてテープ基材上に凹凸メカニカルテープが固着されて構成されている。未使用のときは図８（ａ）に示すように折畳まれた状態になっている。使用時には、図８（ｂ）に図示するように止着材３６がスリット２６を越えるようにして引き延ばされ、他方止着材３６はスリット２６反対側方向に延ばされ、止着材３６がフック型のテープすなわち凸メカニカルテープとして、止着材３４のテープ基材上のループ型テープすなわち凹メカニカルテープに止着される。この場合、止着材３４のテープ基材上の凸メカニカルテープ部分が下着とパッド１０とを固定するのに利用することも可能である。図８（ｃ）は、別の態様を示しており、左フラップ２８の外側カバー上に、左フラップ２８の所定の位置に止着材３６が取りつけられ、折畳まれた状態になっている。右フラップ３０の外側カバー上には止着材３６に対応できるように凹メカニカルテープが固着されている。あるいは、凹メカニカルテープの代わりに不織布をフラップ３０の外側カバーの所定の位置に貼り合わてもよい。使用時には、図８（ｄ）に図示するように凸メカニカルテープがスリット２６を越えて引き延ばされて凹メカニカルテープまたは不織布に接合されるようになっている。
【００４２】
図９（ａ）は、止着材３４、３６として凸メカニカルテープがテープ基材なしで左右フラップ２８、３０の外側カバー上に、それぞれ直接取りつけられた状態を表している。使用時には、図９（ｂ）に図示するように右フラップ３０が左フラップ２８上に重ね合わされて右フラップ３０の凸メカニカルテープ３４が左フラップ２８の表面シート上に直接接合されるようになっている。この場合、止着材３６と、止着材３４の固着に使用されない領域とを、下着とパッド１０とを固定するのに利用することも可能である。図９（ｃ）は、図９（ａ）においては凸メカニカルテープが左右フラップ２８、３０の両方に取りつけられていたが、右フラップ３０の外側シート上にのみ凸メカニカルテープが固着された場合を図示するものである。図９（ｄ）は、使用時において凸メカニカルテープ３４が左フラップ２８の表面シート上に直接接合されつつある状態を表している。
【００４３】
上述したメカニカルテープの代わりに粘着テープと粘着部とを利用することももちろん可能である。すなわち、図８（ａ）に図示したメカニカルテープ３４、３６の代わりに粘着テープ３４、３６として利用することができる。この場合も折畳まれた粘着テープ３６が使用時にはスリット２６を越えて延びて粘着テープ３４に固定するようになる。同様に、図８（ｃ）の止着材３６を粘着テープとし３６とし、被着部を右フラップ３０の外側カバーとしてもよい。さらに、図９（ａ）に図示する止着材３４、３６を剥離紙が結合された粘着部３４、３６とし左右フラップを重ね合わせ、粘着部同士を固着させてもよい。この場合、一方の粘着部は利用されないので下着とパッド１０を固定するのに利用してもよい。もちろん、図９（ｃ）の場合のように一方のフラップの外側カバー上に剥離紙が結合された粘着部を使って、フラップを重ね合わせ固定するようにしてもよい。
【００４４】
さらに、本発明のパッド１０の外側カバー１４のスリット形成領域以外の外面上に、粘着材３８が取り付けられていてもよい。未使用時には、粘着材３８には剥離紙が固着されており、使用時にはこの剥離紙をはがして、粘着材３８により、パッド１０を着用者の下着に適切に固定できるようになっていることが好ましい。粘着材３８の大きさはパッド１０を下着に固定できる程度の大きさを有していればよい。この粘着材３８と剥離紙の材料と取りつけ方法は、当業者であれば公知であるので、本明細書においては詳細に説明しない。
【００４５】
図３は、本発明の第２の実施例の図１に図示したパッド１０のＹ−Ｙ断面図である。
【００４６】
第２の実施例が第１の実施例と異なる点は、表面シート１２と吸収体１６との間にトランスファシート４０が配置されていることである。このトランスファシート４０は表面シート１２から吸収体１６への液体の移動、分散を容易にするためのものであり、吸収体１６と流体連通するようになっている。トランスファシート４０を表面シート１２と吸収体１６との間に配置することにより、吸収体１６の吸収能力をさらに高めることができるようになる。このようなトランスファシート４０は、一般的に合成繊維から構成されていればよい。トランスファシート４０の材料は当業者であれば公知であるので、本明細書においてこれ以上説明しない。
【００４７】
また、上述したように、第１実施例と第２実施例とはトランスファシート４０についてのみ異なるものであり、その他の構成は全く同一であるので、同一の構成についての説明を省く。
【００４８】
図５は上述した構成からなるパッド１０を使用に際し組み立てた状態、すなわち一対のフラップ２８、３０を上下に重ね合わせたときの平面図である。スリット２６により形成された一対のフラップ２８、３０を上下に重ね合わせると同時に止着材３４、３６は固着される。図５において、パッド１０の裏側におけるフラップ２８、３０の重なり部分を破線で示しており、表側における重なり部分を実線で示している。ここで、幅を、パッド１０を上方から見た投影幅すなわち湾曲した弦の長さとすると、一対のフラップ２８、３０が重ね合わされて一体となったフラップ部分の最大幅Ｗ１は、パッド１０の最も広い地点における幅Ｗの１／３以上であることが好ましい。幅Ｗ１が幅Ｗの１／３以下である場合、フラップ同士の重ね合わさり方が不充分となり、スリット２６から尿が洩れる可能性が生じる。
【００４９】
図６を参照すると、パッド１０の組み立て前のスリット２６とフラップとの関係を表している。スリット２６の最後部の地点をａとし、フラップ２８が上側になる状態でフラップ３０と重なるときのフラップ２８の右端部４２がフラップ３０に対応する地点をｃとし、フラップ３０が下側になる状態でフラップ２８と重なるときのフラップ３０の左端部４４に対応するフラップ２８の地点をｂとする。これにより形成される辺ａｃと辺ａｂとのなす角Θが３０°以上であることが好ましい。具体的には、本実施例において、角度Θは３０°から１２０°の範囲内であることが好ましい。角度Θが３０°以下であると、一対のフラップ２８、３０の重なり合いが不充分となり尿が洩れる可能性が高くなる。一方、角度Θが１２０°以上であると、パッドを組み立てる際に、変形が大きくなりすぎて、「く」の字型になってしまい着用者に対するフィット性が悪化するといった不都合が生じる。
【００５０】
このように、パッド１０のスリット２６を中心としてフラップ２８、３０を上下に重ね合わせ、止着材３４、３６を結合することにより、安定した立体的な舟形、あるいはＪ字形状またはカップ型となるパッド１０を得ることができる。さらに、バリヤシート１８に弾性体が設けられているので立体ギャザーが形成され、脚間すなわちパッドの両側部からの液体の洩れを防ぐとともに、舟形、Ｊ字形状、カップ形状といったパッド１０の立体的形状が保たれることになる。このようなパッド１０の立体構造により、パッド１０は、着用者の身体にフィットし易くなり、さらには、パッドの尿が排出される領域では吸収体が２枚重ねになり、微量は当然のことながら、多少多い量の尿であっても確実に吸収できるようになる。
【００５１】
図７は、パッド１０が取りつけられるべき下着４８の前部開口部５０に合わせて２つのフラップ２８、３０を上下に重ね合わせた状態の図５のパッド１０のＹ−Ｙ線断面図である。ここで、ｄ−ｄ線はパッド１０の中心線である。フラップ２８、３０が上下に組み合われたとき、フラップ３０側の外側シートとフラップ２８側の表面シート１２とが上下関係となり、これらの間のわずかな間隙には通路４６が形成される。通路４６は、通常の排尿時に尿が排出される経路となりうる。すなわち、通常のようにトイレで排尿するときには、スリットにより形成される図７に図示する矢印方向の通路４６と、下着の前部開口部を介し尿が排出されることになる。このような通路が形成されるために、着用者の下着の前部開口部を塞ぐことがなくなるので、排尿時には下着を下ろしたり、パッドをとりはすずことなく、パッド１０を装着したまま排尿できることになる。
【００５２】
本発明の実施例において、フラップ２８、３０の最終的な形状については詳細に記載しなかったが、本発明のパッド１０を身体に装着した場合、フラップ部分２８、３０の端部が着用者の皮膚に当たることを考慮して、直線、曲線、またはこれらの組合せることによりスリット２６を形成することにより、フラップの形状を三角形状、円弧形状などの様々な形状から適宜選択できる。このようにフラップの形状を適宜選択することによりパッドの着用者への刺激を軽減させ、肌当たりを改善することができる。
【００５３】
【発明の効果】
本発明の男性失禁用パッドは、表面シート、外側カバー及び吸収体からなり、これらにより一体的に形成されたパッドの前端部のほぼ中心にスリットを設けてこれを２つのフラップとし、これらを上下に重ねあわせて、取りつけるべき下着の開口部に対応する位置にほぼ位置決めすることにより、軽度の失禁時にはパッドの吸収体により尿は吸収され、通常の排尿時には、パッドのフラップの重なり部分を下着の開口部のようにしてそのまま排尿を行うことができるので有効なものである。
【００５４】
さらに、本発明のパッドの形状が立体的な船形またはカップ形状などの形状をとるために、再固着する場合であっても、パッドの端部が折れ曲がったり、反ったりすることなく、最適な状態で付け直すことが可能となる。また、本発明のパッドでは装着中にずれたりすることなく最適な状態で着用者の身体に密着できるようになっている。
【００５５】
なお、本実施例において、例として開示した寸法、材料、形状などを含む全てのことは、これらに限定されるものではなく、当業者であれば適宜変更可能であるような例を全て含むものである。
【図面の簡単な説明】
【図１】本発明の第１の実施例に係る失禁パッドの平面図である。
【図２】本発明の第１の実施例に係る図１のパッドのｘ−ｘ線断面図である。
【図３】本発明の第２の実施例に係る、図１に図示したパッドのｘ−ｘ線断面図である。
【図４】本発明の失禁パッドを構成する吸収体の平面図である。
【図５】本発明の失禁パッドのフラップが重ね合わされた状態のパッドを表す平面図である。
【図６】本発明の失禁パッドのフラップが重ね合わされていない状態を表す平面図である。
【図７】本発明の失禁パッドのフラップが重ね合わされた状態の図５のｙ−ｙ断面図である。
【図８】本発明の失禁パッドのフラップの止着材による止着状態を段階的に表す図である。
【図９】本発明の失禁パッドのフラップの別の止着材による止着状態を段階的に表す図である。
【符号の説明】
１０  パッド
１２  表面シート
１４  外側カバー
１６  吸収体
１８  バリヤシート
２０  弾性体
２２  前側端部
２６  スリット
２８、３０  フラップ
３２  股領域
３４、３６  止着材
３８  粘着材
４０  トランスファシート
【図１】
2004147818.tif 000003
【図２】
2004147818.tif 000004
【図３】
2004147818.tif 000005
【図４】
2004147818.tif 000006
【図５】
2004147818.tif 000007
【図６】
2004147818.tif 000008
【図７】
2004147818.tif 000009
【図８】
2004147818.tif 000010
【図９】
2004147818.tif 000011